(57)【要約】  【課題】  外観がよくスムースに動作するこのできる折戸の指詰め防止具を提供する。  【解決手段】  折戸Ａの前面側で左右の戸板１，１の間に形成される隙間２の周辺を覆う縦長の覆部３と、該覆部３に連なって左右の戸板１，１の隙間から戸板の背面側に延設された脚部４とによって形成されたカバー部材５と、戸板１，１の背面側で前記脚部４に連結されてカバー部材５を常時戸板後方側へ附勢する弾性紐部材６とからなり、前記弾性紐部材６はその両端部で各戸板の背面に取り付けられた支持体７により止着され、中間部で前記脚部４に連結されており、これにより、左右の戸板１，１を開いたときの略直線に近い広角Ｖ字形の姿勢から、戸板を閉じたときの二つ折りの姿勢となる範囲内でカバー部材５に弾性力を付与するように形成されている構造。【選択図】  図１
2011236640.tif 000002
【特許請求の範囲】
【請求項１】
折戸の前面側で左右の戸板の間に形成される隙間周辺を覆う縦長の覆部と、該覆部に連なって左右の戸板の隙間から戸板の背面側に延設された脚部とによって形成されたカバー部材と、
戸板の背面側で前記脚部に連結されてカバー部材を常時戸板後方側へ附勢する弾性紐部材とからなり、
前記弾性紐部材はその両端部で各戸板の背面に取り付けられた支持体により止着され、中間部でＶ字形に折れ曲がるように前記脚部に連結されており、これにより、左右の戸板を開いたときの略直線に近い広角Ｖ字形の姿勢から、戸板を閉じたときの二つ折りの姿勢となる範囲内でカバー部材に弾性力を付与するように形成されている折戸の指詰め防止具。
【請求項２】
前記支持体が、戸板に固定される板状のベース部と、該ベース部から立ち上がった立上り部とによって略Ｌ字型に形成され、立上り部の先端部分で弾性紐部材の端部に連結されており、立上り部はヒンジ部を介して立ち上がった姿勢から弾性紐部材の弾力に抗する方向にのみ回動できるように形成されている請求項１に記載の折戸の指詰め防止具。
【請求項３】
前記弾性紐部材は、左右対称的な二つのコイルバネを強化紐でつないだ構造で形成され、強化紐の中間部でカバー部材の脚部に連結されている請求項１または請求項２に記載の折戸の指詰め防止具。
【請求項４】
前記弾性紐部材の端部を止着する左右の支持体の止着部が、戸板の上下方向に位置をずらして配置されている請求項３に記載の折戸の指詰め防止具。
【請求項５】
左右の戸板の何れか一方の背面に突起体が設けられ、折戸開放時にこの突起体が嵌入する嵌合孔がカバー部材の脚部に設けられている請求項１〜請求項４のいずれかに記載の折戸の指詰め防止具。
【請求項６】
折戸の背面側で、カバー部材の脚部、弾性紐部材並びに弾性紐部材の両端を止着する支持体を覆い隠す被覆部材が折戸の開閉に伴って折り畳みできるように取り付けられている請求項１〜請求項５のいずれかに記載の折戸の指詰め防止具。
【請求項７】
前記カバー部材の覆部の長さ方向に沿った両縁部が緩やかな弯曲面もしくは傾斜面で形成されている請求項１〜請求項６のいずれかに記載の折戸の指詰め防止具。
【発明の詳細な説明】
【技術分野】
【０００１】
本発明は、折戸を平らに閉じるときに、左右の戸板の隙間に指が挟まることを防止する指詰め防止具に関する。
【背景技術】
【０００２】
一般に収納家具や間仕切り等に使用される折戸は、図８に示すように、センターヒンジ１２によって折りたたみ可能に連結された左右の戸板１１，１１から構成され、各戸板の遊端部がピン等の滑走体１３，１３によってレール１４に保持されている。このような折戸において左右の戸板１１，１１を折りたたんだ姿勢から直線状に閉じる際に、図９に示すように指先を左右の戸板の間に挟まれることが、特に幼児において発生することがある。そこで従来では、特許文献１や特許文献２に示すような指詰防止機能を備えた折戸が知られている。
【先行技術文献】
【特許文献】
【０００３】
【特許文献１】特開平５−２１３０２０号公報
【特許文献２】特開平７−２１３６３号公報
【発明の開示】
【発明が解決しようとする課題】
【０００４】
しかしながら、特許文献１に示す装置では、左右の戸板を折りたたんだ姿勢において各戸板の端面全体をスライドして広く覆う幅広の板状カバーを取り付けたものであるから、折戸の外観を大きく損なうとともに、折戸とカバーとの間にスライドピンや案内孔等の複雑な連結機構を設ける必要があってコスト高になる、といった問題点がある。
また、特許文献２で開示された装置では、左右の戸板の隙間にアコーデオンのような蛇腹等の遮蔽物を介在させ、この遮蔽物の取付基板を左右の戸板の相対する端面に取り付けて構成されている。従って、蛇腹等の遮蔽物や取付基板を取り付けるためには左右の戸板の間隙を広くする必要があり、このため、折戸を直線状に閉じたときに、左右の戸板間に大きな隙間が生じるとともに、蛇腹等の遮蔽物は外観が悪く、意匠感を尊重する収納家具や建具では、実用的でないといった欠点があった。
【０００５】
そこで、本発明は、上記従来課題を解決するとともに、外観がよく、スムースに動作して確実に指詰めを防止する折戸の指詰め防止具を、簡単な構造で提供することを目的とする。
【課題を解決するための手段】
【０００６】
上記課題を解決するために本発明では次のような技術的手段を講じた。即ち、本発明の請求項１に記載の折戸の指詰め防止具にあっては、折戸の前面側で左右の戸板の間に形成される隙間周辺を覆う縦長の覆部と、該覆部に連なって左右の戸板の隙間から戸板の背面側に延設された脚部とによって形成されたカバー部材と、戸板の背面側で前記脚部に連結されてカバー部材を常時戸板後方側へ附勢する弾性紐部材とからなり、
前記弾性紐部材は、その両端部で各戸板の背面に取り付けられた支持体により止着され、中間部で前記脚部に連結されており、これにより、左右の戸板を開いたときの略直線に近い広角Ｖ字形の姿勢から、戸板を閉じたときの二つ折りの姿勢となる範囲内でカバー部材に弾性力を付与するように形成されている構造とした。
【発明の効果】
【０００７】
本発明は上記の如く構成したものであるから、折戸開閉時にカバー部材によって左右の戸板の隙間が隠され、これにより、折戸を閉じる際に左右の戸板の間に指を詰めることを確実に防止することができる。また、カバー部材が弾性紐部材によって常時折戸の戸板後方側に弾力的に吸引されているので、折戸の開閉時にカバー部材が折戸面に密接してガタツキ無くスムースに作動することができ、且つ、その構成がカバー部材と弾性紐部材による簡単な構造であるから低コストで製作することができる。
【０００８】
特に本発明では、左右の戸板が直線状の姿勢となって閉じたときは、弾性紐部材は左右に引っ張られて弾性紐部材自身の弾性力は強まるが、弾性紐部材が直線に近い広角Ｖ字形の姿勢となっているために、脚部を戸板後方側に引っ張ろうとする力は弱まり、反対に戸板を折りたたんで開いたときは、カバー部材の脚部が戸板後方側に移動するので、弾性紐部材を止着する支持体と脚部との間隔が短くなって弾性紐部材の弾性力は弱まるが、弾性紐部材が二つ折りの姿勢、もしくは狭角Ｖ字形の姿勢で脚部を戸板後方側に引っ張っているので、カバー部材を吸引する力は力学的に効率よく作用することになる。その結果、本発明では、戸板を開いたときも閉じたときも、カバー部材を戸板後方側に引きつける力はあまり変化せず、常に適度な附勢力をカバー部材にかけ続けることができ、これにより、折戸開閉時のカバー部材のガタツキや衝撃を無くすることができると共に、折戸のスムースな開閉を行うことができるといった効果がある。
【０００９】
また、請求項２の構成によれば、支持体が、戸板に固定される板状のベース部と、該ベース部から立ち上がった立上り部とによって略Ｌ字型に形成され、立上り部の先端部分で弾性紐部材の端部に連結されており、立上り部はヒンジ部を介して立ち上がった姿勢から弾性紐部材の弾力に抗する方向にのみ回動できるように形成されているので、左右の戸板を開いたときに、左右の支持体の立上り部が互いに当接して弾性紐部材の弾力に抗してヒンジ部から折り曲がって傾倒し、これにより左右の戸板が立上り部に邪魔されることなく折りたたむことができて折戸の開度を大きくとることができる。
【００１０】
また、請求項３の構成によれば、弾性紐部材は、左右対称的な二つのコイルバネを強化紐でつないだ構造で形成され、強化紐の中間部でカバー部材の脚部に連結されているので、左右のコイルバネがバランス良く弾性力を発揮できると共に、強化紐部分で脚部に連結されているので、コイルバネを傷めることなく容易に弾性紐部材を脚部に連結することができる。
【００１１】
また、請求項４の構成によれば、弾性紐部材の端部を止着する左右の支持体の止着部が、戸板の上下方向に位置をずらして配置されているので、左右の戸板を開いたときに、左右のコイルバネがずれて互いに重なり合うを防止でき、これによりコイルバネの損傷を防止できると共に折戸の開度を大きくとることができる。
【００１２】
また、請求項５の構成によれば、左右の戸板の何れか一方の背面に突起体が設けられ、折戸開放時にこの突起体が嵌入する嵌合孔がカバー部材の脚部に設けられているので、折戸を開いたときに、突起体がカバー部材の脚部の嵌合孔に嵌入してカバー部材をロックし、これによりカバー部材の移動を確実に阻止することができる。
【００１３】
また、請求項６の構成によれば、折戸の背面側で、カバー部材の脚部、弾性紐部材並びに弾性紐部材の両端を止着する支持体を覆い隠す被覆部材が折戸の開閉に伴って折り畳みできるように取り付けられているので、折戸背面側の体裁を良くすることができると共に、折戸背面側に収納された衣服等が弾性紐部材等に引っ掛かって装置の作動に弊害をもたらしたり、衣服を傷めたりすることを防止することができる。
【００１４】
また、請求項７の構成によれば、カバー部材の覆部の長さ方向に沿った両縁部が、緩やかな弯曲面もしくは傾斜面で形成されているので、カバー部材を指先でつまむことが困難となり、これにより子供等がカバー部材をつまんで前方に引き出す操作を未然に防止することができる。    
【図面の簡単な説明】
【００１５】
【図１】本発明にかかる指詰め防止具を適用した折戸の平面図であって、折戸閉じ姿勢を示す。
【図２】上記折戸の折りたたみ過程の中間を示す一部切欠平面図。
【図３】上記折戸の折り畳み姿勢を示す一部切欠平面図。
【図４】本発明におけるカバー部材の一部を示す斜視図。
【図５】本発明における弾性紐部材の取り付け状態を示す斜視図。
【図６】本発明におけるカバー部材のロック機構部分を示す断面図。
【図７】上記カバー部材の天板部分を示す斜視図。
【図８】指詰め防止具を有しない一般的な折戸を示す斜視図。
【図９】従来例の説明図。
【発明を実施するための形態】
【００１６】
以下において、本発明の詳細をその実施の形態を示す図面に基づいて詳細に説明する。図において、符号Ａは折戸であって、センターヒンジＢを介して折りたたみ可能に連結された左右の戸板１，１によって形成されている。この折戸Ａは、図１〜図３に示すように、折戸の左右の戸板１，１の間に形成される隙間２の前面側（図の下面側）周辺部分を覆う縦長の覆部３と、該覆部３に略Ｔ字形に結合されて左右の戸板１，１の隙間から戸板の背面側（図の上面側）に延設された薄板状の脚部４とによって形成されたカバー部材５を含む。このカバー部材５は、左右の戸板１，１の背面側に配置された弾性紐部材６によって常時折戸Ａの裏側の方向に弾力的に吸引されている構成とされている。図に示した実施例では、カバー部材５の覆部３と脚部４とはそれぞれ別体で形成して接着剤等で結合することにより形成されているが、合成樹脂材やアルミ材による引抜き成形手段により一体的に形成することも可能である。
【００１７】
前記弾性紐部材６は、左右対称的な二つのコイルバネ６ａ、６ａを強度がある柔軟な強化紐６ｂでつないだ構造で形成されている。弾性紐部材６は、各コイルバネ６ａ、６ａの遊端部で各戸板１，１の背面に取り付けられた支持体７、７に止着され、強化紐６ｂの中間部が前記脚部４の先端部分に形成された孔４ａに挿通されており、これによりカバー部材５と弾性紐部材６とが連結されている。尚、図４における符号４ｂは、左右の戸板１，１を連結するために取り付けられたセンターヒンジＢを避けるためにカバー部材５の脚部４に形成された切欠きである。
【００１８】
前記カバー部材５を弾性紐部材６によって常時折戸Ａの裏側の方向（背面方向）に弾力的に吸引させるために、図１の折戸閉じ姿勢において、弾性紐部材６の両端部における支持体７への止着位置が、平面から見て、脚部４の孔４ａの挿通位置より折戸背面の後方側（図１の上方側）に位置するように配置されている。このために支持体７を、戸板１に取り付けられる板状のベース部７ａと、該ベース部７ａから立ち上がった立上り部７ｂとによって略Ｌ字型に形成し、この立上り部７ｂの先端部分に弾性紐部材６の端部を止着することにより、弾性紐部材６が平面から見て略直線に近い広角Ｖ字形の姿勢を保持できるようにして、カバー部材５を常時折戸の裏側の方向に吸引作用するように形成されている。
【００１９】
また、上記支持体７の立上り部７ｂは、ヒンジ部７ｃを介して立ち上がった姿勢から弾性紐部材６の弾力に抗する方向にのみ回動できるように形成されている。これにより、左右の戸板１，１を図３にように折りたたんで開いたときに、左右の支持体の立上り部７ｂが互いに当接して弾性紐部材６の弾力に抗してヒンジ部７ｃから折り曲がって傾倒し、これにより左右の戸板１，１が立上り部７ｂに邪魔されることなく折りたたむことができるようになっている。
【００２０】
更に本実施例では、図５に示すように、弾性紐部材６の端部を止着する左右の支持体７、７の止着部７ｄが、戸板１の上下方向に位置をずらして配置されている。これにより、左右の戸板１，１を折りたたんで開いたときに、弾性紐部材６の左右のコイルバネ６ａ、６ａが上下にずれて互いに重なり合うことを阻止して、コイルバネの損傷を防止するとともに、折戸の開度を大きくとることができるようになっている。
【００２１】
また本実施例では、図６に示すように、左右の戸板１，１の一方の背面に突起体８が設けられ、図６（ｂ）の折戸を折りたたんだ開放時に、この突起体８が嵌入する嵌合孔４ｃがカバー部材５の脚部４に設けられている。これにより折戸を折りたたんで開いたときに、突起体８が脚部４の嵌合孔４ｃに嵌入してカバー部材５をロックしてカバー部材５の移動を阻止するようになっている。
【００２２】
更に本実施例では、折戸の背面側で、カバー部材５の脚部４、弾性紐部材６並びに弾性紐部材の両端を止着する支持体７を常時覆い隠す薄板状の被覆部材９が、折戸の開閉に伴って折り畳みできるように取り付けられている。これにより、折戸背面側の体裁を良くすることができると共に、折戸背面側に収納された衣服等が弾性紐部材６等に引っ掛かって装置の作動に弊害をもたらすことを防止している。
【００２３】
次に動作について説明する。図１は、折戸Ａの左右の戸板１，１が直線状の姿勢に閉じられた状態を示す。この閉じ姿勢において、カバー部材５は弾性紐部材６によって折戸Ａの裏側の方向に引きつけられているので、カバー部材の覆部３が折戸Ａの前面に密接して左右の戸板１，１間の隙間２の周辺部分を隠している。
【００２４】
図１の閉じ姿勢から折戸Ａを折りたたんでいくと、カバー部材５は弾性紐部材６によって常時引きつけられているので、折戸の折りたたみ動作の進行に応じてカバー部材５が後退し図２の過程を経て図３の折りたたまれた開き姿勢となる。この開き姿勢において、一方の戸板１の背面に設けた突起体８が脚部４の嵌合孔４ｃに嵌入してカバー部材５をロックする。これにより、カバー部材５の移動を確実に阻止する。
尚、図３の折戸の開き姿勢において、カバー部材５の覆部３が図示のように左右の戸板１，１の端面の一部、好ましくは約半分程度をカバーするような寸法に予め設定しておくのがよい。
【００２５】
折戸Ａを図３の折り畳んだ開き姿勢から、図１の閉じ方向に操作すると、折戸の閉じ動作の進行に従ってカバー部材の覆部３が左右の戸板１，１の端面に沿って折戸前面方向に押し出され、図１の閉じ姿勢に復帰する。この閉じ過程において、カバー部材の覆部３が常に左右の戸板１，１の間にあり、且つ折戸の前面側に向かって押し出すように移動するので、万一左右の戸板１，１の間に指をもって行っても挟まれることがない。
【００２６】
また、左右の戸板１，１が図１の閉じ姿勢において、弾性紐部材６は左右に引っ張られて弾性紐部材自身の弾性力は強まるが、弾性紐部材６が直線に近い広角Ｖ字形の姿勢となっているために、脚部４を戸板後方側に引っ張ろうとする力は弱まり、反対に図３に示すように戸板１，１を折りたたんで開いたときは、カバー部材５の脚部４が戸板後方側に移動するので、弾性紐部材６を止着する支持体７と脚部４との間隔が短くなって弾性紐部材６の弾性力は弱まるが、弾性紐部材６が二つ折りの姿勢、もしくは狭角Ｖ字形の姿勢で脚部４を戸板後方側に引っ張っているので、カバー部材５を吸引する力は力学的に効率よく作用することになる。
その結果、戸板を閉じたときも開いたときも、カバー部材５を戸板後方側に引きつける力はあまり変化せず、常に適度な附勢力をカバー部材５にかけ続けることができ、これにより、折戸開閉時のカバー部材のガタツキや衝撃を無くすることができると共に、折戸のスムースな開閉を行うことができる。
【００２７】
本発明において、カバー部材５の覆部３の長さ方向に沿った両縁部３ａ、３ａを、図に示すように緩やかな弯曲面もしくは傾斜面とするのがよい。これにより、カバー部材５の覆部３を指先でつまむことが困難となって子供等が覆部３をつまんで前方に引き出す操作を未然に防止することができる。
【００２８】
また本発明では、図７に示すように、カバー部材５の上端に水平な天板１０を接着剤等で固着し、この天板１０を戸板１，１の上端面に摺動可能な状態で乗っかるように配置して、カバー部材５の荷重を戸板上面で支えるようにするのが好ましい。
【００２９】
以上、本発明の代表的な実施例について説明したが、本発明は必ずしも上記の実施例の構造のみに特定されるものではない。例えば、図示は省略するが、弾性紐部材６を二つに分割して夫々の弾性紐部材を脚部４と左右の支持体７とに連結するようにしてもよい。また、弾性紐部材６はその全体をコイルスプリングで形成してもよく、ゴム紐で形成することもできる。また、がバー体５の材料は、合成樹脂または金属の何れであってもよい。その他本発明では、その目的を達成し、請求の範囲を逸脱しない範囲内で適宜修正、変更することが可能である。
【産業上の利用可能性】
【００３０】
本発明は、ワードローブ等の収納家具や間仕切り等の建具の折戸の指詰め防止具として適用することができる。
【符号の説明】
【００３１】
Ａ  折戸
Ｂ  センターヒンジ
１  戸板
２  隙間
３  覆部
４  脚部
４ｃ  嵌合孔
５  カバー部材
６  弾性紐部材
６ａ  コイルバネ
６ｂ  強化紐
７  支持体
７ａ  ベース部
７ｂ  立上り部
７ｃ  ヒンジ部
７ｄ  止着部
８  突起体
９  被覆部材
【図１】
2011236640.tif 000003
【図２】
2011236640.tif 000004
【図３】
2011236640.tif 000005
【図４】
2011236640.tif 000006
【図５】
2011236640.tif 000007
【図６】
2011236640.tif 000008
【図７】
2011236640.tif 000009
【図８】
2011236640.tif 000010
【図９】
2011236640.tif 000011